(57)【要約】【課題】簡単な構成で安価な用具を使用して、手軽に、水などの液体によるマッサージ効果を得ることが出来るマッサージ具を提供する。【解決手段】弾性を有する材質であるゴムによって中空の略球体を形成し、当該略球体の外表面に無数の小突起１を設け、当該略球体の内部に水を入れ、当該略球体を人Ｂに当ててこれを振動又は揺動させて当該略球体内部の水に発生した波動を人体内部の液体に与え、当該人体内部の液体を当該波動と同調させる。【選択図】図１
0003125522.tif 000002
【実用新案登録請求の範囲】
【請求項１】
弾性を有する材質によって中空の略球体を形成し、当該略球体の内部に液体を入れ、当該略球体を人体に当ててこれを振動又は揺動させて当該略球体内部の液体に発生した波動を人体内部の液体に与え、当該人体内部の液体を当該波動と同調させることを特徴とする、マッサージ具。
【請求項２】
上記略球体の内部に入れる液体が水であることを特徴とする、上記請求項１に記載のマッサージ具。
【請求項３】
上記略球体を形成する弾性を有する材質がゴムであることを特徴とする、上記請求項１又は２の何れかに記載のマッサージ具。
【請求項４】
上記略球体の外表面に無数の小突起を設けたことを特徴とする、上記請求項１、２又は３の何れかに記載のマッサージ具。
【請求項５】
上記略球体の内部に入れる液体がゲルマニウムを添加した水、又はマイナスイオン水であることを特徴とする、上記請求項１、２、３又は４の何れかに記載のマッサージ具。
【請求項６】
上記略球体を形成する弾性を有する材質にチタンを添加したことを特徴とする、上記請求項１、２、３、４又は５の何れかに記載のマッサージ具。
【考案の詳細な説明】
【技術分野】
【０００１】
この考案は、例えば、人が仰臥した状態で腹の上に載置し、手で揺らして人体に、水などの液体によるマッサージ効果を与えるマッサージ具に関するものである。
【背景技術】
【０００２】
人体の６０％は水であり、水による外部からの波動は、人体の同じ分子から成る水の分子を同調させて波動を生起させる。このことを利用して、従来、一定量溜められた水を振動又は揺動させることにより、この水から発生する波動を当該水と間接的に接触している人体に与え、人体内部の血液や体液がこれらの波動と同調することにより、当該血液や体液の流れを活性化させて細胞の新陳代謝を促進させてマッサージ効果を得るということが行われている。
【０００３】
この様なものとして、マットレス状のウォーターベッドの下の中央部に振動装置を設置し、このウォーターベッドの上に人が横になった後、この振動装置を作動させてウォーターベッド内の水を振動させ、この振動によりマッサージ効果を得るというものがある。
【特許文献１】実用新案登録第３０７３０６６号公報
【考案の開示】
【考案が解決しようとする課題】
【０００４】
しかしながら、この様なウォーターベッドでは、ウォーターベッドの下に振動装置を設置するなど、機械装置を必要とし、費用も高価なものとなり、手軽に、水などの液体によるマッサージ効果を得られるものではない。
【０００５】
そこで、この考案は、安価で手軽に、水などの液体によるマッサージ効果を得ることが出来るマッサージ具を提供するものである。
【課題を解決するための手段】
【０００６】
請求項１の考案は、弾性を有する材質によって中空の略球体を形成し、当該略球体の内部に液体を入れ、当該略球体を人体に当ててこれを振動又は揺動させて当該略球体内部の液体に発生した波動を人体内部の液体に与え、当該人体内部の液体を当該波動と同調させるマッサージ具とした。
【０００７】
請求項２の考案は、上記略球体の内部に入れる液体が水である上記請求項１に記載のマッサージ具とした。また、請求項３の考案は、上記略球体を形成する弾性を有する材質がゴムである上記請求項１又は２の何れかに記載のマッサージ具とした。
【０００８】
請求項４の考案は、上記略球体の外表面に無数の小突起を設けた上記請求項１、２又は３の何れかに記載のマッサージ具とした。また、請求項５の考案は、上記略球体の内部に入れる液体がゲルマニウムを添加した水、又はマイナスイオン水である上記請求項１、２、３又は４の何れかに記載のマッサージ具とした。
【０００９】
請求項６の考案は、上記略球体を形成する弾性を有する材質にチタンを添加した上記請求項１、２、３、４又は５の何れかに記載のマッサージ具とした。
【考案の効果】
【００１０】
請求項１、２又は３の各考案によれば、液体を入れた略球体を人体に当てて振動等させて当該振動等による波動を人体内部の液体に与えるようにしたので、液体によるマッサージ効果を、簡単な構成で安価な用具を使用して、容易に得ることが出来る。また、弾性を有する材質によって当該マッサージ具を形成したので、当該マッサージ具を、例えば、腹の上に載置した場合、当該マッサージ具の形状がやや扁平に変形して、当該マッサージ具内部の液体の重量により面圧効果を発揮し、さらに、当該マッサージ具と腹の接触面とが一定面互いの境界を介して平面的に接することに成り、当該マッサージ具の水による波動が効果的に人体の腹腔内の液体等に伝達される。
【００１１】
また、このマッサージ具を略球体形状に設けたので、人体の腹等の上を転がして最もマッサージ効果を得たい個所へ容易に移動させることが出来、使い勝手の良いものである。さらに、このマッサージ具を自身で振動等させてマッサージ効果を得ることが出来るようにしたので、使用する人が思うように用いることが出来、必要なだけその効果を得ることが出来る。
【００１２】
請求項４の考案によれば、上記球体の外表面に無数の小突起を設けたので、例えば、腹の上に載置した場合など、指圧効果を得ることも出来、また、内部に入れた液体により自身の形状がやや扁平に成ることとも併せて、腹の上から落ちにくくするので、安定して、マッサージ効果を得ることが出来る。
【００１３】
請求項５の考案によれば、上記略球体の内部に充填する液体にゲルマニウム等を添加したので、マッサージ効果の外、当該ゲルマニウムから発生するマイナスイオンにより、上記マッサージ効果に加えて、人体が持つ自然治癒力を高めることが出来、人体の健康にとってより有効なものとなる。また、請求項６の考案によれば、略球体を形成する弾性を有する材質にチタンを添加したので、マッサージ効果の外、当該チタンにより、体に出来た炎症を抑え、蓄積した疲労をとるなどの効果を発揮する。
【考案を実施するための最良の形態】
【００１４】
弾性を有する材質によって中空の略球体を形成し、当該略球体の内部に液体を入れ、当該略球体を人体に当ててこれを振動又は揺動させて当該略球体内部の液体に発生した波動を人体内部の液体に与え、当該人体内部の液体を当該波動と同調させる。
【００１５】
これらにより、液体によるマッサージ効果を、簡単な構成で安価、かつ容易に得ることが出来る。
【実施例１】
【００１６】
以下、この考案の実施例を図に基づいて説明する。
図１は、この考案の実施例のマッサージ具を人の腹の上に載置し、自身の両手で振動させている状態を示す斜視図であり、図２は、同マッサージ具の断面図であり、図３は、同マッサージ具を平面の上に載置し、やや扁平になった状態を示す正面図である。
【００１７】
上記図２に示すように、このマッサージ具Ａは、弾性を有するゴム製の中空の球体形状であって、この球体の外表面全面には無数の小突起１を一定間隔で設け、この球体の外表面の一部に水の取入口（図示省略）を設け、この取入口から内部に水２を入れたものから成る。ここでは、７０％〜１００％入れれば効果が得られるが、最も効果が得られるためには１００％充填したものがよい。この内部に水２を入れた球体は、上記図３に示すように、平面に載置すると内部の水２の重量により、やや扁平な楕円形状になる。
【００１８】
次に、この様なマッサージ具Ａを使用してマッサージ効果を得る。
まず、このマッサージ具Ａを使用する人Ｂは仰向けになる。その後、図１に示すように、自身の腹の上にこのマッサージ具Ａを載置し、両手又は片手でこのマッサージ具Ａを小刻みに振動させ、又はゆっくり揺動させても良い。このマッサージ具Ａ内部の水２が振動又は揺動することによって発生した波動を人体の腹腔内部の血液や体液に与え、これらの血液や体液を上記波動と同調させる。
【００１９】
これにより、手軽に、使用する人Ｂが思うように、血液や体液の流れを活性化させて細胞の新陳代謝を促進させてマッサージ効果を得ることが出来る。また、マッサージ具Ａは弾性を有し、柔らかいので、当該マッサージ具を、上記の様に、例えば、腹の上に載置した場合、当該マッサージ具の形状がやや扁平に変形して、マッサージ具Ａ内部の水の重量により面圧効果を発揮し、さらに、当該マッサージ具と腹の接触面とが一定面平面的に接することに成り、当該マッサージ具の水による波動が効果的に腹腔内の液体等に伝達される。また、このマッサージ具を球体形状に設けたので、人体の腹等の上を転がして最もマッサージ効果を得たい個所へ容易に移動させることが出来る。
【００２０】
また、このマッサージ具Ａの外表面全面に無数の小突起１を設けているので、指圧効果を得ることも出来、また、内部に入れた水２により自身の形状がやや扁平に成ることとも併せて、腹の上から落ちにくくする効果もある。さらに、このマッサージ具Ａの液体の取入口に着脱自在な蓋を設け、この蓋を開けて、当該マッサージ具Ａの内部に入れる水２として、夏は冷水を入れ、冬には、お湯を入れるようにすれば、より快適なマッサージ具Ａとなり、お湯の場合、温熱効果でより血液や体液の循環は良くなる。
【００２１】
また、これらの水にゲルマニウムを添加したり、このマッサージ具Ａを形成する材質にゲルマニウムを加えることにより、当該マッサージ具Ａからマイナスイオンを発生させ、活性酸素により酸化した細胞のダメージを抑え、自然治癒力を高めることが出来る。また、このマッサージ具Ａの内部に直接、マイナスイオン水を入れても同様の効果を得ることが出来る。さらに、このマッサージ具Ａを形成する材質にチタンを加えることにより、体に出来た炎症を抑え、また、蓄積した疲労、肩こりなどを解消することが出来る。
そして、このマッサージ具Ａが不要になったときには、内部に入れた水等を上記取入口から排出して、このマッサージ具Ａを折り畳んで収納することも出来る。
【００２２】
なお、上記実施例においては、マッサージ具Ａの内部に水２等を入れているが、上記の通り、液体であって、人体の健康に有効なものであるならば、どの様なものを入れても良い。また、このマッサージ具Ａを腹の上に載置して、使用しているが、載置する場所は、腹の上のほか、腕、足、頭、背中などどこでもよい。また、自身でこのマッサージ具Ａを振動等させるほか、他人に振動等してもらっても効果を得ることが出来る。
【００２３】
さらに、このマッサージ具Ａをゴムによって、弾性を有する柔らかい中空の球体を形成しているが、弾性を有する柔らかい、内部に入れた液体を振動又は揺動出来るものならば、その材質は合成樹脂等何でも良い。また、マッサージ具Ａの外表面全面に一定間隔で小突起を設けたが、これらの小突起は、全面に設けなくても、一部でもよく、また、不用な場合は設けなくてもよい。さらに、このマッサージ具Ａを球体としているが、完全な球体である必要はなく、平面に載置した場合、接触面が一定の平面を形成できるものならば、楕円形状の球体でも他の形状でもよいが、略球体形状の方が、人体の腹等の上を転がして最もマッサージ効果を得たい個所へ移動させる際に都合が良い。
【図面の簡単な説明】
【００２４】
【図１】この考案の実施例のマッサージ具を人の腹の上に載置し、自身の両手で振動させている状態を示す斜視図である。
【図２】この考案の実施例のマッサージ具の断面図である。
【図３】この考案の実施例のマッサージ具を平面の上に載置した状態を示す正面図である。
【符号の説明】
【００２５】
Ａ    マッサージ具                      Ｂ    人
１    小突起                            ２    水
【図１】
0003125522.tif 000003
【図２】
0003125522.tif 000004
【図３】
0003125522.tif 000005